(57)【要約】【課題】容易に、ノイズを抑制し、信頼性を向上させる。【解決手段】電子機器は、内部回路に接続する内部信号線、信号発生器のどちらかを選択する信号発生器用スイッチと、前記内部信号線へのＳＷＲ計の接続、非接続を選択するＳＷＲ計用スイッチと、複数のフィルタ回路を含み、前記ＳＷＲ用スイッチと電気信号ケーブルとの間を接続する１つの前記フィルタ回路を選択するフィルタ選択回路と、制御装置の指示にしたがい、前記信号発生器からの試験信号を前記信号発生器用スイッチ、前記ＳＷＲ計用スイッチ、前記ＳＷＲ計、前記フィルタ選択回路を経由して、前記電気信号ケーブルに出力するように前記信号発生器用スイッチ、前記ＳＷＲ計用スイッチを制御し、前記ＳＷＲ計による複数の前記フィルタ回路に対する各ＳＷＲ値の計測結果に基づいて選択された前記フィルタ回路を動作時に使用するように制御する前記内部回路と、を含む。【選択図】      図１
2015158447.tif 000002
【特許請求の範囲】
【請求項１】
内部回路に接続する内部信号線、および、信号発生器のどちらかを選択する信号発生器用スイッチと、
前記内部信号線へのＳＷＲ計の接続、非接続を選択するＳＷＲ計用スイッチと、
複数のフィルタ回路を含み、前記ＳＷＲ用スイッチと電気信号ケーブルとの間を接続する１つの前記フィルタ回路を選択するフィルタ選択回路と、
制御装置の指示にしたがい、前記信号発生器からの試験信号を前記信号発生器用スイッチ、前記ＳＷＲ計用スイッチ、前記ＳＷＲ計、前記フィルタ選択回路を経由して、前記電気信号ケーブルに出力するように前記信号発生器用スイッチ、および、前記ＳＷＲ計用スイッチを制御し、前記ＳＷＲ計による複数の前記フィルタ回路に対する各ＳＷＲ値の計測結果に基づいて選択された前記フィルタ回路を動作時に使用するように制御する前記内部回路と、
を含むことを特徴とする電子機器。
【請求項２】
前記制御装置と、前記信号発生器と、前記ＳＷＲ計と、請求項１の前記電子機器と、
を含むことを特徴とするノイズ抑制システム。
【請求項３】
前記信号発生器は、前記内部回路の前記クロック発信器の周波数に対する高調波、または、分周波を前記試験信号として出力することを特徴とする請求項２のノイズ抑制システム。
【請求項４】
前記ＳＷＲ計は、前記試験信号である進行波、および、前記電気信号ケーブルからの反射波を計測し、各前記フィルタ回路、および、各前記試験信号に対するＳＷＲ値を算出することを特徴とする請求項３のノイズ抑制システム。
【請求項５】
前記制御装置は、前記フィルタ回路ごとに、各前記試験信号に対する前記ＳＷＲ値の和、または、前記ＳＷＲ値の標準偏差を算出し、前記ＳＷＲ値の和、前記ＳＷＲ値の標準偏差、または、前記ＳＷＲ値の和と前記ＳＷＲ値の標準偏差との組み合わせのいずれかを選択指標とし、前記選択指標に基づいて１つの前記フィルタ回路を特定し、特定した前記フィルタ回路を示すフィルタ特定情報を前記内部回路に出力し、
前記内部回路は、前記フィルタ特定情報に示された前記フィルタ回路を使用して動作することを特徴とする請求項４のノイズ抑制システム。
【請求項６】
前記制御装置は、（前記ＳＷＲ値の標準偏差の逆数）・（前記ＳＷＲ値の和）を前記選択指標とし、前記選択指標が最大である前記フィルタ回路を特定し、特定した前記フィルタ回路を示す前記フィルタ特定情報を出力することを特徴とする請求項５のノイズ抑制システム。
【請求項７】
前記制御回路は、前記試験信号ごとの重みを乗算した重み付きＳＷＲ値を算出し、前記フィルタ回路ごとに、前記重み付きＳＷＲ値の和、前記重み付きＳＷＲ値の標準偏差を算出し、前記重み付きＳＷＲ値の和、前記重み付きＳＷＲ値の標準偏差、または、前記重み付きＳＷＲ値の和と前記重み付きＳＷＲ値の標準偏差との組み合わせのいずれかを選択指標とし、前記選択指標に基づいて１つの前記フィルタを特定し、特定した前記フィルタ回路を示すフィルタ特定情報を前記内部回路に出力し、
前記内部回路は、前記フィルタ特定情報に示された前記フィルタ回路を使用して動作することを特徴とする請求項４のノイズ抑制システム。
【請求項８】
前記制御装置は、（前記重み付きＳＷＲ値の標準偏差の逆数）・（前記重み付きＳＷＲ値の和）を前記選択指標とし、前記選択指標が最大である前記フィルタ回路を特定し、特定した前記フィルタ回路を示す前記フィルタ特定情報を出力することを特徴とする請求項７のノイズ抑制システム。
【請求項９】
信号発生器からの試験信号を電子機器の信号発生器用スイッチ、内部信号線、ＳＷＲ計用スイッチ、複数のフィルタ回路を含むフィルタ選択回路、および、ＳＷＲ計を経由して、電気信号ケーブルに出力し、前記ＳＷＲ計による前記フィルタ回路に対する各ＳＷＲ値を計測可能とし、ＳＷＲ値を含む選択指標に基づいて選択された前記電子機器の前記フィルタ回路を動作時に使用することを特徴とするノイズ抑制方法。
【請求項１０】
前記電子機器内のクロック発信器の周波数に対する高調波、または、分周波を前記試験信号として使用することを特徴とする請求項９のノイズ抑制システム。
【発明の詳細な説明】
【技術分野】
【０００１】
本発明は、電子機器、ノイズ抑制システム、および、ノイズ抑制方法に関する。
【背景技術】
【０００２】
電子機器（装置）に接続される電気信号ケーブルからの不要輻射ノイズの対策として、フィルタが使用されてきた。
【０００３】
電子機器（装置）のノイズ対策に使用されるノイズフィルタに関する技術の一例が、特許文献１に記載されている。この技術は、ノイズフィルタの減衰特性を測定し、データベース化し、個々のノイズ対策対象機器に適したノイズフィルタを選択するものである。
【先行技術文献】
【特許文献】
【０００４】
【特許文献１】特開平１１−２４８７７５
【発明の概要】
【発明が解決しようとする課題】
【０００５】
上記特許文献１の技術では、選択された１つのフィルタが電子機器（装置）に搭載されることになる。しかし、ユーザの都合等で、電子機器（装置）に特性の異なる電気信号ケーブルが接続される場合がある。したがって、そのフィルタが適していない場合があり、ノイズ対策に失敗する場合がある。
【０００６】
本発明の目的は、上記問題点を解決する電子機器、ノイズ抑制システム、および、ノイズ抑制方法を提供することである。
【課題を解決するための手段】
【０００７】
本発明の電子機器は、内部回路に接続する内部信号線、および、信号発生器のどちらかを選択する信号発生器用スイッチと、
前記内部信号線へのＳＷＲ計の接続、非接続を選択するＳＷＲ計用スイッチと、
複数のフィルタ回路を含み、前記ＳＷＲ用スイッチと電気信号ケーブルとの間を接続する１つの前記フィルタ回路を選択するフィルタ選択回路と、
制御装置の指示にしたがい、前記信号発生器からの試験信号を前記信号発生器用スイッチ、前記ＳＷＲ計用スイッチ、前記ＳＷＲ計、前記フィルタ選択回路を経由して、前記電気信号ケーブルに出力するように前記信号発生器用スイッチ、および、前記ＳＷＲ計用スイッチを制御し、前記ＳＷＲ計による複数の前記フィルタ回路に対する各ＳＷＲ値の計測結果に基づいて選択された前記フィルタ回路を動作時に使用するように制御する前記内部回路と、を含む。
【０００８】
本発明のノイズ抑制方法は、信号発生器からの試験信号を電子機器の信号発生器用スイッチ、内部信号線、ＳＷＲ計用スイッチ、複数のフィルタ回路を含むフィルタ選択回路、および、ＳＷＲ計を経由して、電気信号ケーブルに出力し、前記ＳＷＲ計による前記フィルタ回路に対する各ＳＷＲ値を計測可能とし、ＳＷＲ値を含む選択指標に基づいて選択された前記電子機器の前記フィルタ回路を動作時に使用する。
【発明の効果】
【０００９】
本発明は、容易に、ノイズを抑制し、信頼性を向上させることができるという効果を持つ。
【図面の簡単な説明】
【００１０】
【図１】本発明の第１の実施の形態の構成を示すブロック図である。
【図２】本発明の第１の実施の形態の動作を示す動作説明図である。
【図３】本発明の第２の実施の形態の構成を示すブロック図である。
【図４】信号発生器用スイッチの構成を示すブロック図である。
【図５】ＳＷＲ計用スイッチの構成を示すブロック図である。
【図６】フィルタ選択回路の構成を示すブロック図である。
【図７】本発明の第２の実施の形態の動作を示す動作説明図である。
【図８】本発明の第２の実施の形態の動作を示す動作説明図である。
【図９】本発明の第２の実施の形態の制御装置における算出結果を示す説明図である。
【図１０】本発明の第３の実施の形態の制御装置における算出結果を示す説明図である。
【発明を実施するための形態】
【００１１】
次に、本発明の第１の実施の形態について図面を参照して詳細に説明する。
【００１２】
図１は、第１の実施の形態の構成を示すブロック図である。図１を参照すると、第１の実施の形態の電子機器１００（たとえば、コンピュータ、制御機器）は、内部回路１１０、信号発生器用スイッチ１２０、ＳＷＲ計用スイッチ１３０、フィルタ選択回路１４０、スイッチ制御線１５０、および、内部信号線１６０を含む。ここで、ＳＷＲは、Standing Wave Ratioである。
【００１３】
内部回路１１０は、クロック発信器１１１を含む。また、内部回路１１０は、外部の制御装置と接続される。また、内部回路１１０とフィルタ選択回路１４０とは、信号用発生器用スイッチ１２０、および、ＳＷＲ計用スイッチ１３０経由で、内部信号線１６０により接続される。また、内部回路１１０は、スイッチ制御線１５０により、信号発生器用スイッチ１２０、ＳＷＲ計用スイッチ１３０、および、フィルタ選択回路１４０を制御する。
【００１４】
信号発生器用スイッチ１２０は、外部の信号発生器と接続される。ＳＷＲ計用スイッチ１３０は、外部のＳＷＲ計と接続される。フィルタ選択回路１４０は、電気信号ケーブルと接続される。
【００１５】
信号発生器用スイッチ１２０は、スイッチ制御線１５０にしたがい、内部回路１１０につながる内部信号線１６０、および、外部の信号発生器のどちらかを選択する。ＳＷＲ計用スイッチ１３０は、スイッチ制御線１５０にしたがい、内部信号線１６０への外部のＳＷＲ計の接続、非接続を選択する。
【００１６】
フィルタ選択回路１４０は、特性の異なる複数のフィルタ回路を含み、スイッチ制御線１５０にしたがい、１つのフィルタ回路を選択する。
【００１７】
次に、第１の実施の形態の動作について図面を参照して説明する。
【００１８】
通常の動作においては、内部回路１１０は、スイッチ制御線１５０により、信号発生器用スイッチ１２０、および、ＳＷＲ計用スイッチ１３０を、それぞれ、内部信号線１６０を選択し、ＳＷＲ計と非接続であるように制御する。すなわち、通常の動作においては、内部回路１１０とフィルタ選択回路１４０とが内部信号線１６０で接続されている。内部回路１１０からの信号は、内部信号線１６０、フィルタ選択回路１４０を通り、電気信号ケーブルに出力される。
【００１９】
次に、電気信号ケーブルからのノイズ（輻射、伝導）を抑制するためのフィルタ回路の選択の動作について説明する。図２は、第１の実施の形態の電子機器１００の動作を示す動作説明図である。まず、人手等により、電子機器１００に、外部の制御装置、信号発生器、ＳＷＲ計、および、電気信号ケーブルが接続される。電気信号ケーブルは、種々の特性を持つものが接続可能である。
【００２０】
図２を参照すると、内部回路１１０は、外部の制御装置からの指示にしたがい、信号発生器用スイッチ１２０、および、ＳＷＲ計用スイッチ１３０に対し、それぞれ、信号発生器を選択し、ＳＷＲ計と接続するように制御する（ステップＳ１）。
【００２１】
次に、内部回路１１０は、外部の制御装置からの指示にしたがい、スイッチ制御線１５０により、フィルタ選択回路１４０の１つのフィルタ回路を選択するように制御する（ステップＳ２）。
【００２２】
次に、信号発生器から、クロック発信器１１１の基本周波数とその高調波数をもつ試験信号（進行波）が出力される。ここで、高調波数とは、基本周波数の２，３，…，ｎ倍の周波数のことである。ｎは、１以上の整数であり、事前に設定される。
【００２３】
電子機器１００は、試験信号を信号発生器用スイッチ１２０で受け取り、内部信号線１６０、ＳＷＲ計用スイッチ１３０、および、フィルタ選択回路１４０を経由して、電気信号ケーブルに出力する（ステップＳ３）。
【００２４】
電子機器１００は、各試験信号の進行波を、また、フィルタ選択回路１４０を通った電気信号ケーブルからの反射波をＳＷＲ計用スイッチ１３０を経由して、ＳＷＲ計に出力する（ステップＳ４）。
【００２５】
ＳＷＲ計は、各試験信号の進行波、反射波を計測し、各ＳＷＲ値を算出する。
【００２６】
次に、内部回路１１０は、外部の制御装置からの指示にしたがい、スイッチ制御線１５０により、フィルタ選択回路１４０の他のフィルタ回路を選択するように制御する（ステップＳ２）。そして、フィルタ選択回路１４０のすべてのフィルタ回路に対して、順次、ステップＳ２〜ステップＳ４の処理が繰り返される。
【００２７】
このようにして、ＳＷＲ計は、フィルタ選択回路１４０のすべてのフィルタ回路に対する各試験信号の進行波、反射波を計測し、各ＳＷＲ値を算出する。
【００２８】
そして、人手等により、電子機器１００から、外部の制御装置、信号発生器、および、ＳＷＲ計等が取り外される。
【００２９】
外部の制御装置は、ＳＷＲ計から、フィルタ選択回路１４０のすべてのフィルタ回路に対する各ＳＷＲ値を受け取り、電気信号ケーブルからのノイズ（輻射、伝導）を抑制するのに適したフィルタ回路を選択するための計算を行う。
【００３０】
たとえば、外部の制御装置は、フィルタ回路ごとに、各試験信号に対するＳＷＲ値の和、または、ＳＷＲ値の標準偏差を算出する。さらに、外部の制御装置は、たとえば、フィルタ回路ごとのＳＷＲ値の和、ＳＷＲ値の標準偏差の逆数、または、これらの組み合わせのいずれかを選択指標値とする。そして、外部の制御装置は、たとえば、すべての選択指標値から最大のものを選択し、それに対応するフィルタ回路を特定する。
【００３１】
ここで、フィルタ回路の選択に使用される選択指標値の計算式は、上述の方法に限定されるわけではない。すなわち、フィルタ回路の選択に使用される選択指標値は、ＳＷＲ値に関連する計算式により求められたものであればよい。
【００３２】
次に、電子機器１００は、外部の制御装置によって特定されたフィルタ回路（フィルタ選択回路１４０の）に関する情報を記憶し、その特定されたフィルタ回路を使用して通常時の動作を行う（ステップＳ５）。
【００３３】
異なる特性の電気信号ケーブルが接続される場合には、その電気信号ケーブルからのノイズ（輻射、伝導）を抑制するためのフィルタ回路の選択が実施可能である。
【００３４】
次に、第１の実施の形態の効果について説明する。
【００３５】
第１の実施の形態の電子機器１００は、信号発生器用スイッチ１２０、ＳＷＲ計用スイッチ１３０、および、複数のフィルタ回路を含むフィルタ選択回路１４０を持つ構成である。すなわち、電子機器１００は、外部から試験信号を受け取り、各フィルタ回路に対するＳＷＲ値を計測可能とし、電気信号ケーブルからのノイズ（輻射、伝導）を抑制するのに適したフィルタ回路を選択可能である。
【００３６】
したがって、第１の実施の形態は、容易に、ノイズ（輻射、伝導）を抑制し、信頼性を向上させることができるという効果を持つ。
【００３７】
次に、本発明の第２の実施の形態について図面を参照して詳細に説明する。
【００３８】
図３は、第２の実施の形態の構成を示すブロック図である。図３を参照すると、第２の実施の形態のノイズ抑制システム８００は、電子機器１００、制御装置２００、信号発生器３００、ＳＷＲ計４００、および、電気信号ケーブル５００を含む。
【００３９】
電子機器１００は、第１の実施の形態の電子機器１００の一例であって、コネクタ１７１、コネクタ１７２、コネクタ１７３、および、コネクタ１７４を含む。また、電子機器１００は、シェルフタイプ、ピザボックスタイプ等、種々の形体が可能である。
【００４０】
また、制御装置２００、信号発生器３００、ＳＷＲ計４００、および、電気信号ケーブル５００は、それぞれ、第１の実施の形態に記述された動作を行う。内部回路１１０は、スイッチ制御線１５０上に制御信号を出力する。以下の記述において、スイッチ制御線１５０は、スイッチ制御線１５０上の制御信号のことである。
【００４１】
コネクタ１７１は、内部回路１１０と制御バス６００（すなわち、制御装置２００）との接続に使用される。コネクタ１７２は、信号発生器用スイッチ１２０と信号発生器３００との接続に使用される。コネクタ１７３は、ＳＷＲ計用スイッチ１３０とＳＷＲ計４００との接続に使用される。コネクタ１７４は、フィルタ選択回路１４０と電気信号ケーブル５００との接続に使用される。
【００４２】
次に、内部回路１１０について説明する。図３を参照すると、内部回路１１０は、たとえば、クロック発信器１１１、および、クロック発信器１１２を含む。クロック発信器の数に制限はない。クロック発信器１１１、１１２からのクロック信号は、分周、または、逓倍され、内部回路１１０で使用される。
【００４３】
次に、信号発生器用スイッチ１２０について説明する。図４は、信号発生器用スイッチ１２０の構成を示すブロック図である。図４を参照すると、信号発生器用スイッチ１２０は、スイッチ制御線１５０にしたがって、内部回路１１０とＳＷＲ計用スイッチ１３０とを接続するか、または、信号発生器３００とＳＷＲ計用スイッチ１３０とを接続するかを選択する。
【００４４】
次に、ＳＷＲ計用スイッチ１３０について説明する。図５は、ＳＷＲ計用スイッチ１３０の構成を示すブロック図である。図５を参照すると、ＳＷＲ計用スイッチ１３０は、第１スイッチ１３１、および、第２スイッチ１３２を含む。
【００４５】
第１スイッチ１３１は、スイッチ制御線１５０にしたがって、信号発生器用スイッチ１２０とフィルタ選択回路１４０とを直接内部信号線１６０により接続する（オン）か、接続しない（オフ）かを選択する。第２スイッチ１３２は、スイッチ制御線１５０にしたがって、信号発生器用スイッチ１２０とフィルタ選択回路１４０とをＳＷＲ計４００経由で接続する（オン）か、接続しない（オフ）かを選択する。
【００４６】
第１スイッチ１３１、および、第２スイッチ１３２は、排他的に動作する。すなわち、第１スイッチ１３１が、オン（オフ）のとき、第２スイッチ１３２は、オフ（オン）である。
【００４７】
次に、フィルタ選択回路１４０について説明する。図６は、フィルタ選択回路１４０の構成を示すブロック図である。図６を参照すると、フィルタ選択回路１４０は、たとえば、特性の異なるフィルタ回路１４１、フィルタ回路１４２、および、フィルタ回路１４３を含む。フィルタ回路の数に制限はない。
【００４８】
また、フィルタ選択回路１４０は、フィルタスイッチ１４Ａを含む。フィルタスイッチ１４Ａは、スイッチ制御線１５０にしたがって、フィルタ回路１４１〜１４３のいずれかを選択し、ＳＷＲ計用スイッチ１３０、および、電気信号ケーブル５００と接続する。
【００４９】
次に、第２の実施の形態の動作について図面を参照して説明する。
【００５０】
図７、図８は、第２の実施の形態の動作を示す動作説明図である。まず、人手等により、電子機器１００に、コネクタ１７１、および、制御バス６００を介して、制御装置２００が接続される。さらに、電子機器１００に、それぞれ、コネクタ１７２、１７３、１７４を介して、信号発生器３００、ＳＷＲ計４００、および、電気信号ケーブル５００が接続される。
【００５１】
図７、図８を参照すると、制御装置２００は、電子機器１００の内部回路１１０に対して、信号発生器用スイッチ１２０、ＳＷＲ計用スイッチ１３０、および、フィルタ選択回路１４０を制御するための指示を出力する（ステップＳ１１）。
【００５２】
内部回路１１０は、制御装置２００からの指示にしたがい、信号発生器用スイッチ１２０、および、ＳＷＲ計用スイッチ１３０に対し、それぞれ、信号発生器３００を選択し、ＳＷＲ計４００と接続するように制御する（ステップＳ１２）。
【００５３】
すなわち、内部回路１１０は、スイッチ制御線１５０を、信号発生器用スイッチ１２０において、内部回路１１０とＳＷＲ計用スイッチ１３０との接続が切られ、信号発生器３００とＳＷＲ計用スイッチ１３０とが接続される値にする。また、内部回路１１０は、スイッチ制御線１５０を、信号発生器用スイッチ１２０とフィルタ選択回路１４０との直接の接続が切られ、信号発生器用スイッチ１２０とフィルタ選択回路１４０とがＳＷＲ計４００を経由して接続される値にする。
【００５４】
信号発生器用スイッチ１２０は、スイッチ制御線１５０の値にしたがって、内部回路１１０とＳＷＲ計用スイッチ１３０との接続を切り、信号発生器３００とＳＷＲ計用スイッチ１３０とを接続する（ステップＳ１３）。
【００５５】
ＳＷＲ計用スイッチ１３０は、スイッチ制御線１５０の値にしたがって、第１スイッチ１３１をオフにし、信号発生器用スイッチ１２０とフィルタ選択回路１４０との直接の接続を切る。さらに、ＳＷＲ計用スイッチ１３０は、スイッチ制御線１５０の値にしたがって、第２スイッチ１３２をオンにし、信号発生器用スイッチ１２０とフィルタ選択回路１４０とをＳＷＲ計４００経由で接続する（ステップＳ１４）。
【００５６】
次に、内部回路１１０は、制御装置２００からの指示にしたがい、スイッチ制御線１５０を、フィルタ選択回路１４０において、フィルタ回路１４１が選択される値にする（制御する）（ステップＳ１５）。
【００５７】
フィルタ選択回路１４０は、スイッチ制御線１５０の値にしたがって、フィルタスイッチ１４Ａで、フィルタ回路１４１を選択し、ＳＷＲ計用スイッチ１３０と電気信号ケーブル５００とが、フィルタ回路１４１経由で接続されるようにする（ステップＳ１６）。
【００５８】
次に、制御装置２００は、信号発生器３００に対して、周波数ｆ１（たとえば、１［Ｇｚ］）の試験信号を発生させるための指示を出力する（ステップＳ１７、ここから図８）。信号発生器３００は、制御装置２００からの指示にしたがい、信号発生器用スイッチ１２０に、周波数ｆ１の試験信号（進行波）を出力する（ステップＳ１８）。
【００５９】
電子機器１００は、信号発生器３００からの試験信号（周波数ｆ１）を受け取る。電子機器１００は、進行波である試験信号を、信号発生器用スイッチ１２０、ＳＷＲ計用スイッチ１３０、ＳＷＲ計４００、および、フィルタ選択回路１４０（フィルタ回路１４１）経由で、電気信号線ケーブル５００に出力する（ステップＳ１９）。
【００６０】
電気信号ケーブル５００が、試験信号（進行波）を受け取ると、逆方向の反射波が発生する。電気信号ケーブル５００からの反射波は、フィルタ選択回路１４０（フィルタ回路１４１）、ＳＷＲ計用スイッチ１３０、ＳＷＲ計４００の順に伝播する（ステップＳ２０）。
【００６１】
ＳＷＲ計４００は、進行波の電圧Ｖ１、および、反射波の電圧Ｖ２を計測し、試験信号（周波数ｆ１）に対するＳＷＲ値を算出する（ステップＳ２１）。たとえば、ＳＷＲ値は、（Ｖ１＋Ｖ２）／（Ｖ１−Ｖ２）である。
【００６２】
次に、制御装置２００は、フィルタ回路１４１、試験信号（周波数ｆ１）に対するＳＷＲ値をＳＷＲ計４００から取得する（ステップＳ２２）。
【００６３】
次に、制御装置２００は、周波数ｆ２（たとえば、２［Ｇｚ］）の試験信号を発生させるための指示を出力する（ステップＳ１７）。続いて、フィルタ回路１４１、試験信号（周波数ｆ２）に対する動作（ステップＳ１８〜ステップＳ２２）が実行される。このようにして、フィルタ回路１４１に対する、制御装置２００により指示されたすべての周波数の試験信号に対する動作（ステップＳ１７〜ステップＳ２２）が実行される。
【００６４】
制御装置２００には、人手等により、事前に、試験信号の周波数が設定される。たとえば、試験信号の周波数は、内部回路１１０のクロック発信器１１１、１１２の基本周波数、および、それらの高調波の周波数である。また、分周された周波数（基本周波数の１／２、１／３、…）を含む構成が可能である。
【００６５】
たとえば、クロック発信器１１１の基本周波数ｆ１が１［Ｇｚ］であると、ｆ１＝１［Ｇｚ］、ｆ２＝２［Ｇｚ］、ｆ３＝３［Ｇｚ］、…、ｆ１０＝１０［Ｇｚ］の周波数が設定される。また、クロック発信器１１２の周波数ｆ１１が１０［Ｍｚ］であると、ｆ１１＝１０［Ｍｚ］、ｆ１２＝２０［Ｍｚ］、ｆ１３＝３０［Ｍｚ］、…、ｆ２０＝１００［Ｍｚ］の周波数が設定される。
【００６６】
次に、制御装置２００は、フィルタ選択回路１４０のフィルタ回路１４２を選択する指示を内部回路１１０に出力する（ステップＳ１１）。続いて、フィルタ回路１４２に対する動作（ステップＳ１２〜ステップＳ２２）が実行される。このようにして、すべてのフィルタ回路１４１〜１４３に対する動作（ステップＳ１１〜ステップＳ２２）が実行される。
【００６７】
次に、制御装置２００は、フィルタ回路１４１〜１４３それぞれに対するＳＷＲ値の和、および、標準偏差を算出する（ステップＳ２３）。図９は、第２の実施の形態の制御装置２００における算出結果を示す説明図である。
【００６８】
図９を参照すると、フィルタ回路１４１（すなわち、フィルタ回路１４１が選択された場合）の周波数ｆ１〜ｆ２０に対するＳＷＲ値Ｓ１０１、Ｓ１０２、…、Ｓ１２０の和ΣＳ１ｉ、および、標準偏差σ１が算出される。また、フィルタ回路１４２の周波数ｆ１〜ｆ２０に対するＳＷＲ値Ｓ２０１、Ｓ２０２、…、Ｓ２２０の和ΣＳ２ｉ、および、標準偏差σ２が算出される。また、フィルタ回路１４３の周波数ｆ１〜ｆ２０に対するＳＷＲ値Ｓ３０１、Ｓ３０２、…、Ｓ３２０の和ΣＳ３ｉ、および、標準偏差σ３が算出される。
【００６９】
次に、制御装置２００は、フィルタ回路１４１〜１４３に対する選択指標値（ＳＷＲ値の標準偏差の逆数・ＳＷＲ値の和）をそれぞれ算出する（ステップＳ２４）。すなわち、制御装置２００は、フィルタ回路１４１に対する（ΣＳ１ｉ）／σ１、フィルタ回路１４２に対する（ΣＳ２ｉ）／σ２、および、フィルタ回路１４３に対する（ΣＳ３ｉ）／σ３を算出する。
【００７０】
次に、制御装置２００は、フィルタ回路１４１〜１４３から、算出した最大の選択指標値（たとえば、（ΣＳ２ｉ）／σ２））に対応するもの（たとえば、フィルタ回路１４２）を特定する（ステップＳ２５）。そして、制御装置２００は、フィルタ特定情報（特定したフィルタ回路１４２を示す情報）を内部回路１１０に出力する（ステップＳ２６）。
【００７１】
フィルタ特定情報を受け取ると、内部回路１１０は、そのフィルタ特定情報を不揮発性の記憶部等（図示せず）に記憶する（ステップＳ２７）。さらに、内部回路１１０は、スイッチ制御線１５０を、内部回路１１０と信号発生器用スイッチ１２０、ＳＷＲ計用スイッチ１３０、フィルタ選択回路１４０が接続されるように制御する。
【００７２】
そして、人手等により、電子機器１００から制御装置２００、信号発生器３００、ＳＷＲ計４００、制御バス６００が取り外される。
【００７３】
以降、内部回路１１０は、通常の動作時には、記憶したフィルタ特定情報に基づいて、フィルタ選択回路１４０を制御する。すなわち、以降、電子機器１００は、通常の動作時には、フィルタ特定情報で示された、たとえば、フィルタ回路１４２を使用する（ステップＳ２８）。
【００７４】
次に、選択指標値として、（ＳＷＲ値の標準偏差の逆数・ＳＷＲ値の和）を使用する理由について説明する。
【００７５】
ＳＷＲ値の取りうる最小値は‘１’であるが、この値は、完全にインピーダンスマッチングがとれた状態であり、対象とする周波数の電流が、電子機器１００からすべて電気信号ケーブル５００へ流れ出ることを意味する。すなわち、ＳＷＲ値が大きくなるほど電気信号ケーブル５００からの反射が大きくなり、対象とする周波数の電流が電気信号ケーブル５００へ流れなくなる。
【００７６】
また、電気信号ケーブル５００へ流入する電流が少なければ、その流入する電流の周波数に起因する電気信号ケーブル５００からのノイズ（輻射、伝導）が少なくなる。したがって、電気信号ケーブル５００からのノイズ（輻射、伝導）を減少させるために、ノイズの元になる周波数のＳＷＲ値の大きなフィルタ回路を選択することは、有効である。
【００７７】
さらに、周波数毎のバラツキが小さいほど均等にノイズを抑えられるので、（ＳＷＲ値の標準偏差の逆数）を使用することは、有効である。
【００７８】
次に、第２の実施の形態の効果について説明する。
【００７９】
第２の実施の形態は、第１の実施の形態の電子機器１００を含むので、第１の実施の形態と同一の効果を持つ。
【００８０】
また、第２の実施の形態は、選択指標値として、（ＳＷＲ値の標準偏差の逆数・ＳＷＲ値の和）を使用するので、効率的に、電気信号ケーブル５００からのノイズ（輻射、伝導）を抑制できるという効果を持つ。
【００８１】
次に、第３の実施の形態について、図面を参照して詳細に説明する。
【００８２】
第３の実施の形態のハードウェア構成は、図３に示す第２の実施の形態のハードウェア構成と同一である。第３の実施の形態は、選択指標値の算出式において、第２の実施の形態と異なる。図１０は、第３の実施の形態の制御装置２００における算出結果を示す説明図である。
【００８３】
図１０を参照すると、周波数ｆ１〜ｆ２０ごとに、重みｗｉ（ｗ１〜ｗ２０）が定義され、制御装置２００は、重みと各ＳＷＲ値とを乗算した重み付きＳＷＲ値を算出する。そして、制御装置２００は、フィルタ回路１４１に対する重み付きＳＷＲ値の和Σ（ｗｉ・Ｓ１ｉ）、重み付きＳＷＲ値の標準偏差ｗσ１を算出する。
【００８４】
さらに、制御装置２００は、フィルタ回路１４２に対する重み付きＳＷＲ値の和Σ（ｗｉ・Ｓ２ｉ）、重み付きＳＷＲ値の標準偏差ｗσ２を算出する。さらに、制御装置２００は、フィルタ回路１４３に対する重み付きＳＷＲ値の和Σ（ｗｉ・Ｓ３ｉ）、重み付きＳＷＲ値の標準偏差ｗσ３を算出する。
【００８５】
次に、制御装置２００は、選択指標値である｛Σ（ｗｉ・Ｓ２ｉ）｝／ｗσ１、｛Σ（ｗｉ・Ｓ２ｉ）｝／ｗσ２、｛Σ（ｗｉ・Ｓ３ｉ）｝／ｗσ３を算出する。次に、制御装置２００は、フィルタ回路１４１〜１４３から、算出した最大の選択指標値（たとえば、｛Σ（Ｗｉ・Ｓ２ｉ）｝／ｗσ１）に対応するもの（たとえば、フィルタ回路１４１）を特定する。このようにして、通常の動作では、フィルタ回路１４１が使用される。
【００８６】
重みＷｉは、内部回路１１０におけるクロック信号の使用を考慮して決定され、人手等により、制御装置２００に事前に設定される。
【００８７】
たとえば、通常の動作時に、内部回路１１０から内部信号線１６０を経由して電気信号ケーブル５００に出力される通常の信号の作成に使用されるクロック信号の周波数の重みを‘０’にし、他の周波数の重みをすべて‘１’にすることが可能である。このようにすると、本来伝わるべき（雑音ではない）通常の信号が、電気信号ケーブル５００に伝わりにくくなるのを防ぐことができる。
【００８８】
次に、第３の実施の形態の効果について説明する。
【００８９】
第３の実施の形態は、選択指標値に、各周波数の重みを使用するので、第２の実施の形態に比べて、より適したフィルタ回路１４１〜１４３を選択できるという効果を持つ。
【００９０】
上記の実施の形態の一部、または、全部は、以下の付記のようにも記載されうるが、以下には限られない。
【００９１】
［付記１］
内部回路に接続する内部信号線、および、信号発生器のどちらかを選択する信号発生器用スイッチと、
前記内部信号線へのＳＷＲ計の接続、非接続を選択するＳＷＲ計用スイッチと、
複数のフィルタ回路を含み、前記ＳＷＲ用スイッチと電気信号ケーブルとの間を接続する１つの前記フィルタ回路を選択するフィルタ選択回路と、
制御装置の指示にしたがい、前記信号発生器からの試験信号を前記信号発生器用スイッチ、前記ＳＷＲ計用スイッチ、前記ＳＷＲ計、前記フィルタ選択回路を経由して、前記電気信号ケーブルに出力するように前記信号発生器用スイッチ、および、前記ＳＷＲ計用スイッチを制御し、前記ＳＷＲ計による複数の前記フィルタ回路に対する各ＳＷＲ値の計測結果に基づいて選択された前記フィルタ回路を動作時に使用するように制御する前記内部回路と、
を含むことを特徴とする電子機器。
【００９２】
［付記２］
前記制御装置と、前記信号発生器と、前記ＳＷＲ計と、付記１の前記電子機器と、
を含むことを特徴とするノイズ抑制システム。
【００９３】
［付記３］
前記信号発生器は、前記内部回路の前記クロック発信器の周波数に対する高調波、または、分周波を前記試験信号として出力することを特徴とする付記２のノイズ抑制システム。
【００９４】
［付記４］
前記ＳＷＲ計は、前記試験信号である進行波、および、前記電気信号ケーブルからの反射波を計測し、各前記フィルタ回路、および、各前記試験信号に対するＳＷＲ値を算出することを特徴とする付記３のノイズ抑制システム。
【００９５】
［付記５］
前記制御装置は、前記フィルタ回路ごとに、各前記試験信号に対する前記ＳＷＲ値の和、または、前記ＳＷＲ値の標準偏差を算出し、前記ＳＷＲ値の和、前記ＳＷＲ値の標準偏差、または、前記ＳＷＲ値の和と前記ＳＷＲ値の標準偏差との組み合わせのいずれかを選択指標とし、前記選択指標に基づいて１つの前記フィルタ回路を特定し、特定した前記フィルタ回路を示すフィルタ特定情報を前記内部回路に出力し、
前記内部回路は、前記フィルタ特定情報に示された前記フィルタ回路を使用して動作することを特徴とする付記４のノイズ抑制システム。
【００９６】
［付記６］
前記制御装置は、（前記ＳＷＲ値の標準偏差の逆数）・（前記ＳＷＲ値の和）を前記選択指標とし、前記選択指標が最大である前記フィルタ回路を特定し、特定した前記フィルタ回路を示す前記フィルタ特定情報を出力することを特徴とする付記５のノイズ抑制システム。
【００９７】
［付記７］
前記制御回路は、前記試験信号ごとの重みを乗算した重み付きＳＷＲ値を算出し、前記フィルタ回路ごとに、前記重み付きＳＷＲ値の和、前記重み付きＳＷＲ値の標準偏差を算出し、前記重み付きＳＷＲ値の和、前記重み付きＳＷＲ値の標準偏差、または、前記重み付きＳＷＲ値の和と前記重み付きＳＷＲ値の標準偏差との組み合わせのいずれかを選択指標とし、前記選択指標に基づいて１つの前記フィルタを特定し、特定した前記フィルタ回路を示すフィルタ特定情報を前記内部回路に出力し、
前記内部回路は、前記フィルタ特定情報に示された前記フィルタ回路を使用して動作することを特徴とする付記４のノイズ抑制システム。
【００９８】
［付記８］
前記制御装置は、（前記重み付きＳＷＲ値の標準偏差の逆数）・（前記重み付きＳＷＲ値の和）を前記選択指標とし、前記選択指標が最大である前記フィルタ回路を特定し、特定した前記フィルタ回路を示す前記フィルタ特定情報を出力することを特徴とする付記７のノイズ抑制システム。
【００９９】
［付記９］
信号発生器からの試験信号を電子機器の信号発生器用スイッチ、内部信号線、ＳＷＲ計用スイッチ、複数のフィルタ回路を含むフィルタ選択回路、および、ＳＷＲ計を経由して、電気信号ケーブルに出力し、前記ＳＷＲ計による前記フィルタ回路に対する各ＳＷＲ値を計測可能とし、ＳＷＲ値を含む選択指標に基づいて選択された前記電子機器の前記フィルタ回路を動作時に使用することを特徴とするノイズ抑制方法。
【０１００】
［付記１０］
前記電子機器内のクロック発信器の周波数に対する高調波、または、分周波を前記試験信号として使用することを特徴とする付記９のノイズ抑制システム。
【０１０１】
［付記１１］
前記試験信号である進行波、および、前記電気信号ケーブルからの反射波を計測し、各前記フィルタ回路、および、各前記試験信号に対するＳＷＲ値を算出することを特徴とする付記１０のノイズ抑制システム。
【０１０２】
［付記１２］
前記フィルタ回路ごとに、各前記試験信号に対する前記ＳＷＲ値の和、または、前記ＳＷＲ値の標準偏差を算出し、前記ＳＷＲ値の和、前記ＳＷＲ値の標準偏差、または、前記ＳＷＲ値の和と前記ＳＷＲ値の標準偏差との組み合わせのいずれかを選択指標とし、前記選択指標に基づいて１つの前記フィルタ回路を特定し、特定した前記フィルタ回路を示すフィルタ特定情報を前記内部回路に出力し、
前記フィルタ特定情報に示された前記フィルタ回路を使用して前記電子機器を動作させることを特徴とする付記１１のノイズ抑制システム。
【０１０３】
［付記１３］
（前記ＳＷＲ値の標準偏差の逆数）・（前記ＳＷＲ値の和）を前記選択指標とし、前記選択指標が最大である前記フィルタ回路を特定し、特定した前記フィルタ回路を示す前記フィルタ特定情報を生成することを特徴とする付記１２のノイズ抑制システム。
【０１０４】
［付記１４］
前記試験信号ごとの重みを乗算した重み付きＳＷＲ値を算出し、前記フィルタ回路ごとに、前記重み付きＳＷＲ値の和、前記重み付きＳＷＲ値の標準偏差を算出し、前記重み付きＳＷＲ値の和、前記重み付きＳＷＲ値の標準偏差、または、前記重み付きＳＷＲ値の和と前記重み付きＳＷＲ値の標準偏差との組み合わせのいずれかを選択指標とし、前記選択指標に基づいて１つの前記フィルタを特定し、特定した前記フィルタ回路を示すフィルタ特定情報を前記内部回路に出力し、
前記フィルタ特定情報に示された前記フィルタ回路を使用して前記電子機器を動作させることを特徴とする付記１１のノイズ抑制システム。
【０１０５】
［付記１５］
（前記重み付きＳＷＲ値の標準偏差の逆数）・（前記重み付きＳＷＲ値の和）を前記選択指標とし、前記選択指標が最大である前記フィルタ回路を特定し、特定した前記フィルタ回路を示す前記フィルタ特定情報を生成することを特徴とする付記１４のノイズ抑制システム。
【符号の説明】
【０１０６】
１００    電子機器
１１０    内部回路
１１１    クロック発信器
１１２    クロック発信器
１２０    信号発生器用スイッチ
１３０    ＳＷＲ計用スイッチ
１３１    第１スイッチ
１３２    第２スイッチ
１４０    フィルタ選択回路
１４１    フィルタ回路
１４２    フィルタ回路
１４３    フィルタ回路
１４Ａ    フィルタスイッチ
１５０    スイッチ制御線
１６０    内部信号線
１７１    コネクタ
１７２    コネクタ
１７３    コネクタ
１７４    コネクタ
２００    制御装置
３００    信号発生器
４００    ＳＷＲ計
５００    電気信号ケーブル
６００    制御バス
【図１】
2015158447.tif 000003
【図２】
2015158447.tif 000004
【図３】
2015158447.tif 000005
【図４】
2015158447.tif 000006
【図５】
2015158447.tif 000007
【図６】
2015158447.tif 000008
【図７】
2015158447.tif 000009
【図８】
2015158447.tif 000010
【図９】
2015158447.tif 000011
【図１０】
2015158447.tif 000012